(57)【特許請求の範囲】
【請求項１】
端末が行う能動的スキャニング方法において、
前記端末に格納された設定（ｃｏｎｆｉｇｕｒａｔｉｏｎ）のリビジョン（ｒｅｖｉｓｉｏｎ）情報を含むプローブ要請フレームをアクセスポイントに伝送する段階と、
前記プローブ要請フレームに含まれる前記リビジョン情報と前記アクセスポイントに管理される現在のリビジョン情報とが同一でない場合に、前記現在のリビジョン情報と、前記プローブ要求フレームに含まれる前記リビジョン情報によって指定される設定から変更された前記現在のリビジョン情報によって指定される設定の情報要素を含み、前記プローブ要求フレームに含まれる前記リビジョン情報によって指定される設定から変更されていない前記現在のリビジョン情報によって指定される設定の情報要素を含まない前記端末での更新に必要とされる情報要素（ｉｎｆｏｒｍａｔｉｏｎ  ｅｌｅｍｅｎｔ）を含む第１のショートプローブ応答フレームを、前記アクセスポイントから受信する段階と、
前記プローブ要請フレームに含まれる前記リビジョン情報と前記アクセスポイントに管理される現在のリビジョン情報とが同一である場合に、前記現在のリビジョン情報及び時間情報を含む第２のショートプローブ応答フレームを、前記アクセスポイントから受信する段階と、
を含むことを特徴とする方法。
【請求項２】
前記設定は、前記アクセスポイント又は前記アクセスポイントのネットワーク設定情報と連結（ａｓｓｏｃｉａｔｉｎｇ）する少なくとも１つの設定情報を含むことを特徴とする、請求項１に記載の方法。
【請求項３】
前記プローブ要請フレームに含まれる前記リビジョン情報と前記アクセスポイントに管理される前記現在のリビジョン情報とが同一でない場合に、前記第１のショートプローブ応答フレームは、時間とともに変化する情報要素をさらに含み、
前記プローブ要請フレームに含まれる前記リビジョン情報と前記アクセスポイントに管理される前記現在のリビジョン情報とが同一である場合に、前記第２のショートプローブ応答フレームは、時間とともに変化する情報要素をさらに含む、ことを特徴とする請求項１に記載の方法。
【請求項４】
前記リビジョン情報は、１オクテットのサイズで規定されることを特徴とする、請求項１に記載の方法。
【請求項５】
前記リビジョン情報は、前記設定が変更された場合に前記アクセスポイントによって増大されることを特徴とする、請求項１に記載の方法。
【請求項６】
前記プローブ要請フレームは、前記アクセスポイントのＢＳＳＩＤ（Ｂａｓｉｃ  Ｓｅｒｖｉｃｅ  Ｓｅｔ  ＩＤ）情報をさらに含むことを特徴とする、請求項１に記載の方法。
【請求項７】
アクセスポイントの能動的スキャニング応答方法において、
端末から前記端末に格納された設定（ｃｏｎｆｉｇｕｒａｔｉｏｎ）のリビジョン（ｒｅｖｉｓｉｏｎ）情報を含むプローブ要請フレームを受信する段階と、
前記プローブ要請フレームに含まれる前記リビジョン情報と前記アクセスポイントに管理される現在の前記リビジョン情報とが同一でない場合に、前記現在のリビジョン情報と、前記プローブ要求フレームに含まれる前記リビジョン情報によって指定される設定から変更された前記現在のリビジョン情報によって指定される設定の情報要素を含み、前記プローブ要求フレームに含まれる前記リビジョン情報によって指定される設定から変更されていない前記現在のリビジョン情報によって指定される設定の情報要素を含まない前記端末での更新に必要とされる情報要素（ｉｎｆｏｒｍａｔｉｏｎ  ｅｌｅｍｅｎｔ）を含む第１のショートプローブ応答フレームを前記端末に伝送する段階と、
前記プローブ要請フレームに含まれる前記リビジョン情報と前記アクセスポイントに管理される現在のリビジョン情報とが同一である場合に、前記アクセスポイントの現在のリビジョン情報及び時間情報を含む第２のショートプローブ応答フレームを前記端末に伝送する段階と、
を含むことを特徴とする方法。
【請求項８】
前記設定は、前記アクセスポイント又は前記アクセスポイントのネットワーク設定情報と連結（ａｓｓｏｃｉａｔｉｎｇ）する少なくとも１つの設定情報を含むことを特徴とする、請求項７に記載の方法。
【請求項９】
前記プローブ要請フレームに含まれる前記リビジョン情報と前記アクセスポイントに管理される前記現在のリビジョン情報とが同一でない場合に、前記第１のショートプローブ応答フレームは、時間とともに変化する情報要素をさらに含み、
前記プローブ要請フレームに含まれる前記リビジョン情報と前記アクセスポイントに管理される前記現在のリビジョン情報とが同一である場合に、前記第２のショートプローブ応答フレームは、時間とともに変化する情報要素をさらに含む、ことを特徴とする、請求項７に記載の方法。
【請求項１０】
前記リビジョン情報は、１オクテットのサイズで規定されることを特徴とする、請求項７に記載の方法。
【請求項１１】
前記リビジョン情報は、前記設定が変更された場合に前記アクセスポイントによって増大されることを特徴とする、請求項７に記載の方法。
【請求項１２】
前記プローブ要請フレームは、前記アクセスポイントのＢＳＳＩＤ（Ｂａｓｉｃ  Ｓｅｒｖｉｃｅ  Ｓｅｔ  ＩＤ）情報をさらに含むことを特徴とする、請求項７に記載の方法。
【請求項１３】
能動的スキャニング行う端末であって、
トランシーバと
プロセッサとを含み、
前記プロセッサは、
前記トランシーバを用いて、前記端末に格納された設定（ｃｏｎｆｉｇｕｒａｔｉｏｎ）のリビジョン（ｒｅｖｉｓｉｏｎ）情報を含むプローブ要請フレームを、アクセスポイントに伝送し、
前記プローブ要請フレームに含まれる前記リビジョン情報と前記アクセスポイントに管理される現在のリビジョン情報とが同一でない場合に、前記トランシーバを用いて、前記現在のリビジョン情報と、前記プローブ要求フレームに含まれる前記リビジョン情報によって指定される設定から変更された前記現在のリビジョン情報によって指定される設定の情報要素を含み、前記プローブ要求フレームに含まれる前記リビジョン情報によって指定される設定から変更されていない前記現在のリビジョン情報によって指定される設定の情報要素を含まない前記端末での更新に必要とされる情報要素（ｉｎｆｏｒｍａｔｉｏｎ  ｅｌｅｍｅｎｔ）を含む第１のショートプローブ応答フレームを、前記アクセスポイントから受信し、
前記プローブ要請フレームに含まれる前記リビジョン情報と前記アクセスポイントに管理される現在のリビジョン情報とが同一である場合に、前記トランシーバを用いて、前記アクセスポイントの現在のリビジョン情報及び時間情報を含む第２のショートプローブ応答フレームを、前記アクセスポイントから受信する、端末。
【請求項１４】
能動的スキャニングに応答するアクセスポイントであって、
トランシーバと
プロセッサとを含み、
前記プロセッサは、
前記トランシーバを用いて、端末に格納された設定（ｃｏｎｆｉｇｕｒａｔｉｏｎ）のリビジョン（ｒｅｖｉｓｉｏｎ）情報を含むプローブ要請フレームを、前記端末から受信し、
前記プローブ要請フレームに含まれる前記リビジョン情報と前記アクセスポイントに管理される現在のリビジョン情報とが同一でない場合に、前記トランシーバを用いて、前記現在のリビジョン情報と、前記プローブ要求フレームに含まれる前記リビジョン情報によって指定される設定から変更された前記現在のリビジョン情報によって指定される設定の情報要素を含み、前記プローブ要求フレームに含まれる前記リビジョン情報によって指定される設定から変更されていない前記現在のリビジョン情報によって指定される設定の情報要素を含まない前記端末での更新に必要とされる情報要素（ｉｎｆｏｒｍａｔｉｏｎ  ｅｌｅｍｅｎｔ）を含む第１のショートプローブ応答フレームを、前記端末に伝送し、
前記プローブ要請フレームに含まれる前記リビジョン情報と前記アクセスポイントに管理される現在のリビジョン情報とが同一である場合に、前記トランシーバを用いて、前記アクセスポイントの現在のリビジョン情報及び時間情報を含む第２のショートプローブ応答フレームを前記端末に伝送する、アクセスポイント。
【発明の詳細な説明】
【技術分野】
【０００１】
本発明は、無線通信技術に関し、より詳細には、無線チャネル使用効率を向上させ、連結速度を向上させることができる設定情報基盤能動的スキャニング及び連結方法に関する。
【背景技術】
【０００２】
情報通信技術の発展に伴い、多様な無線通信技術が開発されている。このうち無線ラン（ｗｉｒｅｌｅｓｓ  ｌｏｃａｌ  ａｒｅａ  ｎｅｔｗｏｒｋ、ＷＬＡＮ）は、無線周波数技術に基づいて個人用の携帯情報端末（ｐｅｒｓｏｎａｌ  ｄｉｇｉｔａｌ  ａｓｓｉｓｔａｎｔ、ＰＤＡ）、ラップトップコンピュータ（ｌａｐｔｏｐ  ｃｏｍｐｕｔｅｒ）、携帯型マルチメディアプレーヤー（ｐｏｒｔａｂｌｅ  ｍｕｌｔｉｍｅｄｉａ  ｐｌａｙｅｒ、ＰＭＰ）などのような携帯型端末を使用して家庭や企業または特定のサービス提供地域において無線でインターネットに接続することができるようにする技術である。
【０００３】
無線ラン技術に対する標準は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準として開発されている。ＩＥＥＥ  ８０２．１１ａは、５ＧＨｚで無兔許帯域（ｕｎｌｉｃｅｎｓｅｄ  ｂａｎｄ）を利用して５４Ｍｂｐｓの伝送速度を提供する。ＩＥＥＥ  ８０２．１１ｂは、２．４ＧＨｚで直接シーケンス方式（ｄｉｒｅｃｔ  ｓｅｑｕｅｎｃｅ  ｓｐｒｅａｄ  ｓｐｅｃｔｒｕｍ、ＤＳＳＳ）を適用して、１１Ｍｂｐｓの伝送速度を提供する。ＩＥＥＥ  ８０２．１１ｇは、２．４ＧＨｚで直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）を適用して、５４Ｍｂｐｓの伝送速度を提供する。ＩＥＥＥ  ８０２．１１ｎは、多重入出力ＯＦＤＭ（ｍｕｌｔｉｐｌｅ  ｉｎｐｕｔ  ｍｕｌｔｉｐｌｅ  ｏｕｔｐｕｔ−ＯＦＤＭ、ＭＩＭＯ−ＯＦＤＭ）を適用して、４個の空間的なストリーム（ｓｐａｔｉａｌ  ｓｔｒｅａｍ）に対して３００Ｍｂｐｓの伝送速度を提供する。ＩＥＥＥ  ８０２．１１ｎでは、チャネル帯域幅（ｃｈａｎｎｅｌ  ｂａｎｄｗｉｄｔｈ）を４０ＭＨｚまで支援し、この場合、６００Ｍｂｐｓの伝送速度を提供する。
【０００４】
このような無線ランの普及が活性化され、これを利用したアプリケーションが多様化されるにつれ、ＩＥＥＥ  ８０２．１１ｎが支援するデータ処理速度よりもさらに高い処理率を支援するための新しい無線ラン技術に対する必要性が増加している。超高処理率（ｖｅｒｙ  ｈｉｇｈ  ｔｈｒｏｕｇｈｐｕｔ、ＶＨＴ）無線ラン技術は、１Ｇｂｐｓ以上のデータ処理速度を支援するために提案されているＩＥＥＥ  ８０２．１１無線ラン技術中の１つである。そのうち、ＩＥＥＥ  ８０２．１１ａｃは、６ＧＨｚ以下の帯域で超高処理率提供のための標準として開発されており、ＩＥＥＥ  ８０２．１１ａｄは、６０ＧＨｚ帯域で超高処理率提供のための標準として開発されている。
【０００５】
従来、無線ラン端末がアクセスポイント（ＡＰ）に連結するためには、所望のアクセスポイント（ＡＰ）を検索する段階、すなわちプローブ要請及びプローブ応答、検索されたアクセスポイント（ＡＰ）で詳細ネットワーク（Ｎｅｔｗｏｒｋ）検索段階、アクセスポイントにリンクレベル認証（Ａｕｔｈｅｎｔｉｃａｔｉｏｎ）及び連結（Ａｓｓｏｃｉａｔｉｏｎ）する段階を進行しなければならない。
【０００６】
一方、アクセスポイント（ＡＰ）を検索する段階で使用するプローブ要請（Ｐｒｏｂｅ  Ｒｅｑｕｅｓｔ）とプローブ応答（Ｐｒｏｂｅ  Ｒｅｓｐｏｎｓｅ）は、検索及び連結のための基本情報を要請し提供する。
【０００７】
ところが、端末とアクセスポイントの数が多い環境では、プローブ要請とプローブ応答が非常に多く生成され、特にプローブ応答は、非常に多い情報を有していて、データ（ｄａｔａ）の長さが長いため、不要な無線チャネル占有を誘発するようになり、チャネル使用効率を低下させる問題点がある。
【０００８】
また、ＳＳＩＤリストを利用した多数アクセスポイントを同時に検索する場合、所望のアクセスポイントからプローブ応答を受けるまで長時間かかるという問題点がある。
【発明の概要】
【発明が解決しようとする課題】
【０００９】
前述のような問題点を解決するために、本発明の目的は、アクセスポイントの検索を速くし、所望のアクセスポイントと速く連結することができる端末が行う設定情報基盤能動的スキャニング及び連結方法を提供することにある。
【００１０】
また、本発明の他の目的は、アクセスポイントの検索を速くし、所望のアクセスポイントと速く連結することができるアクセスポイントの設定情報基盤能動的スキャニング及び連結方法を提供することにある。
【課題を解決するための手段】
【００１１】
前記目的を達成するために、本発明の一実施例による設定情報基盤能動的スキャニング及び連結方法によれば、端末が行う能動的スキャニング及び連結方法において、現在設定のリビジョン情報を含むプローブ要請フレームをアクセスポイントに伝送する段階と、前記アクセスポイントから前記リビジョン情報によって指定された設定から変更された設定情報要素と変更されたリビジョン情報を含むプローブ応答フレームを受信する段階とを含む。
【００１２】
ここで、前記設定は、前記アクセスポイントとの連結（ａｓｓｏｃｉａｔｉｏｎ）と関連した設定情報を含むことができる。
【００１３】
ここで、前記設定は、前記アクセスポイントのネットワーク設定情報を含むことができる。
【００１４】
また、本発明の他の目的を達成するために、本発明の一実施例による設定情報基盤能動的スキャニング及び連結方法によれば、アクセスポイントの能動的スキャニング応答方法において、端末から前記端末に格納された設定のリビジョン情報を含むプローブ要請フレームを受信する段階と、前記リビジョン情報によって指定された設定と前記アクセスポイントが有する設定のリビジョン情報が異なる場合、前記端末から受信したリビジョン情報によって指定された設定から変更された設定情報要素と変更されたリビジョン情報で構成されたプローブ応答フレームを前記端末に伝送する段階とを含む。
【００１５】
ここで、前記設定は、前記アクセスポイントとの連結と関連した設定情報を含むことができる。
【００１６】
ここで、前記設定は、前記アクセスポイントのネットワーク設定情報を含むことができる。
【発明の効果】
【００１７】
前述のような本発明の一実施例による設定情報基盤能動的スキャニング及び連結方法によれば、現在設定のリビジョン情報を含むプローブ要請フレームをアクセスポイントに伝送し、アクセスポイントからリビジョン情報によって指定された設定から変更された設定情報要素と変更されたリビジョン情報を含むプローブ応答フレームを受信する。
【００１８】
したがって、多数端末とアクセスポイントが存在する場合、アクセスポイント検索のために不要なプローブ要請フレームとプローブ応答フレームの数と長さを低減し、無線チャネル使用効率を向上させることができる。また、アクセスポイントに連結されたネットワーク情報が変動されない場合、ＧＡＳ過程を省略し、連結速度を向上させることができる。
【図面の簡単な説明】
【００１９】
【図１】図１は、無線ラン端末の連結過程を示すフローチャートである。
【図２】図２は、能動的スキャニングに使用されるプローブ要請フレームの構成を示す。
【図３Ａ】図３Ａは、能動的スキャニングに使用されるプローブ応答フレームの一部の構成を示す。
【図３Ｂ】図３Ｂは、能動的スキャニングに使用されるプローブ応答フレームの残りの構成を示す。
【図４】図４は、本発明の一実施例による最初連結過程を示すフローチャートである。
【図５】図５は、本発明の一実施例によって最初連結時に伝送される設定情報要素の構成を示す。
【図６】図６は、本発明の一実施例によって既連結履歴があるアクセスポイント検索時に伝送されるショートプローブ要請フレームボディーフォーマットを示す。
【図７】図７は、本発明の一実施例によって既連結履歴がある複数のアクセスポイント検索時に伝送される設定リスト情報要素を示す。
【図８】図８は、図７の設定リスト情報要素のうち設定リストのフォーマットを示す。
【図９】図９は本発明の一実施例によるＳＳＩＤリストと設定リストで構成されたショートプローブ要請フレームボディーフォーマットを示す。
【図１０】図１０は、本発明の一実施例によるショートプローブ応答フレームボディーフォーマットを示す。
【図１１】図１１は、本発明の一実施例による変更された情報を含むショートプローブ応答フレームボディーフォーマットを示す。
【図１２】図１２は、本発明の一実施例によって端末とアクセスポイントの再連結過程を示すフローチャートである。
【図１３】図１３は、本発明の一実施例によって端末で行われる設定情報基盤能動的スキャニング及び連結過程を示すフローチャートである。
【図１４】図１４は、本発明の一実施例によってアクセスポイントで行われる設定情報基盤能動的スキャニング及び連結過程を示すフローチャートである。
【発明を実施するための形態】
【００２０】
本発明は、多様な変更を行うことができ、さまざまな実施例を有することができるところ、特定の実施例を図面に例示し、詳細に説明する。
【００２１】
しかし、これは、本発明を特定の実施形態に限定しようとするものではなく、本発明の思想及び技術範囲に含まれるすべての変更、均等物ないし代替物を含むものと理解しなければならない。
【００２２】
第１、第２などの用語は、多様な構成要素を説明するのに使用されることができるが、前記構成要素は、前記用語に限定されるわけではない。前記用語は、１つの構成要素を他の構成要素から区別する目的で使用される。例えば、本発明の権利範囲を逸脱することなく、第１構成要素は、第２構成要素として命名されることができ、同様に、第２構成要素も第１構成要素として命名されることができる。及び／またはという用語は、複数の関連された記載された項目の組み合わせまたは複数の関連された記載された項目のうちいずれかの項目を含む。
【００２３】
任意の構成要素が他の構成要素に「連結されて」いるか、「接続されて」いると言及されたときには、他の構成要素に直接的に連結されているか、または接続されていることもできるが、中間に他の構成要素が存在することもできると理解しなければならない。一方、任意の構成要素が他の構成要素に「直接連結されて」いるか、「直接接続されて」いると言及されたときには、中間に他の構成要素が存在しないものと理解しなければならない。
【００２４】
本出願で使用された用語は、ただ特定の実施例を説明するために使用されたものであって、本発明を限定しようとする意図ではない。単数の表現は、文脈上、明白に異なって意味しない限り、複数の表現を含む。本出願で、「含む」または「有する」などの用語は、明細書上に記載された特徴、数字、段階、動作、構成要素、部品またはこれらを組み合わせたものが存在することを指定しようとするものであって、１つまたはそれ以上の他の特徴や数字、段階、動作、構成要素、部品またはこれらを組み合わせたものの存在または付加可能性をあらかじめ排除しないものと理解しなければならない。
【００２５】
異なって定義されない限り、技術的や科学的な用語を含んでここで使用されるすべての用語は、本発明の属する技術分野における通常の知識を有する者によって一般的に理解されるものと同一の意味を有している。一般的に使用される辞書に定義されているもののような用語は、関連技術の文脈上有する意味と一致する意味を有するものと解釈されなければならないし、本発明で明白に定義しない限り、理想的や過度に形式的な意味として解釈されない。
【００２６】
以下、添付の図面を参照して、本発明の好ましい実施例をさらに詳細に説明する。本発明を説明するに際して、全体的な理解を容易にするために図面上の同一の構成要素に対しては、同一の参照符号を使用し、同一の構成要素に対しては繰り返し説明を省略する。
【００２７】
明細書全体で、ステーション（ｓｔａｔｉｏｎ、ＳＴＡ）は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に従う媒体接続制御（ｍｅｄｉｕｍ  ａｃｃｅｓｓ  ｃｏｎｔｒｏｌ、ＭＡＣ）と無線媒体（ｍｅｄｉｕｍ）に対する物理階層（ｐｈｙｓｉｃａｌ  ｌａｙｅｒ）インターフェース（ｉｎｔｅｒｆａｃｅ）を含む任意の機能媒体を意味する。ステーション（ＳＴＡ）は、アクセスポイント（ａｃｃｅｓｓ  ｐｏｉｎｔ、ＡＰ）であるステーション（ＳＴＡ）と非−アクセスポイント（ｎｏｎ−ＡＰ）であるステーション（ＳＴＡ）とに区分することができる。アクセスポイント（ＡＰ）であるステーション（ＳＴＡ）は、単純にアクセスポイント（ＡＰ）と呼ばれることがあり、非−アクセスポイント（ｎｏｎ−ＡＰ）であるステーション（ＳＴＡ）は、単純に端末（ｔｅｒｍｉｎａｌ）と呼ばれることがある。
【００２８】
端末（ｔｅｒｍｉｎａｌ）は、プロセッサ（Ｐｒｏｃｅｓｓｏｒ）とトランシーバ（ｔｒａｎｓｃｅｉｖｅｒ）を含み、ユーザインターフェースとディスプレイ（ｄｉｓｐｌａｙ）装置などをさらに含むことができる。プロセッサーは、無線ネットワークを通じて伝送するフレームを生成するか、または無線ネットワークを通じて受信されたフレームを処理するように考案されたユニット（ｕｎｉｔ）を意味し、ステーション（ＳＴＡ）を制御するためのさまざまな機能を行う。トランシーバは、プロセッサーと機能的に連結されており、ステーション（ＳＴＡ）のために無線ネットワークを通じてフレームを送受信するように考案されたユニットを意味する。
【００２９】
アクセスポイント（ＡＰ）は、集中制御機、基地局（ｂａｓｅ  ｓｔａｔｉｏｎ、ＢＳ）、ノード−Ｂ（ｎｏｄｅ−Ｂ）、ｅノード−Ｂ、ＢＴＳ（ｂａｓｅ  ｔｒａｎｓｃｅｉｖｅｒ  ｓｙｓｔｅｍ）、またはサイト制御機などを指すことができ、それらの一部または全部の機能を含むことができる。
【００３０】
端末は、無線送受信ユニット（ｗｉｒｅｌｅｓ  ｓｔｒａｎｓｍｉｔ／ｒｅｃｅｉｖｅ  ｕｎｉｔ、ＷＴＲＵ）、ユーザ装備（ｕｓｅｒ  ｅｑｕｉｐｍｅｎｔ、ＵＥ）、ユーザ端末（ｕｓｅｒ  ｔｅｒｍｉｎａｌ、ＵＴ）、アクセス端末（ａｃｃｅｓｓ  ｔｅｒｍｉｎａｌ、ＡＴ）、移動局（ｍｏｂｉｌｅ  ｓｔａｔｉｏｎ、ＭＳ）、携帯用端末（ｍｏｂｉｌｅ  ｔｅｒｍｉｎａｌ）、加入者ユニット（ｓｕｂｓｃｒｉｂｅｒ  ｕｎｉｔ）、加入者ステーション（ｓｕｂｓｃｒｉｂｅｒ  ｓｔａｔｉｏｎ、ＳＳ）、無線機器（ｗｉｒｅｌｅｓｓ  ｄｅｖｉｃｅ）、または移動加入者ユニット（ｍｏｂｉｌｅ  ｓｕｂｓｃｒｉｂｅｒ  ｕｎｉｔ）などを指すことができ、それらの一部または全部の機能を含むことができる。
【００３１】
ここで、端末で通信が可能なデスクトップコンピュータ（ｄｅｓｋｔｏｐ  ｃｏｍｐｕｔｅｒ）、ラップトップコンピュータ（ｌａｐｔｏｐ  ｃｏｍｐｕｔｅｒ）、タブレット（ｔａｂｌｅｔ）ＰＣ、無線電話機（ｗｉｒｅｌｅｓｓ  ｐｈｏｎｅ）、モバイルフォン（ｍｏｂｉｌｅｐｈｏｎｅ）、スマートフォン（ｓｍａｒｔ  ｐｈｏｎｅ）、ｅ−ｂｏｏｋリーダー機、ＰＭＰ（Ｐｏｒｔａｂｌｅ  Ｍｕｌｔｉｍｅｄｉａ  Ｐｌａｙｅｒ）、携帯用ゲーム機、ナビゲーション（ｎａｖｉｇａｔｉｏｎ）装置、デジタルカメラ（ｄｉｇｉｔａｌ  ｃａｍｅｒａ）、ＤＭＢ（Ｄｉｇｉｔａｌ  Ｍｕｌｔｉｍｅｄｉａ  Ｂｒｏａｄｃａｓｔｉｎｇ）再生機、デジタル音声録音機（ｄｉｇｉｔａｌ  ａｕｄｉｏ  ｒｅｃｏｒｄｅｒ）、デジタル音声再生機（ｄｉｇｉｔａｌ  ａｕｄｉｏ  ｐｌａｙｅｒ）、デジタル映像録画器（ｄｉｇｉｔａｌ  ｐｉｃｔｕｒｅ  ｒｅｃｏｒｄｅｒ）、デジタル映像再生機（ｄｉｇｉｔａｌ  ｐｉｃｔｕｒｅ  ｐｌａｙｅｒ）、デジタル動画録画器（ｄｉｇｉｔａｌ  ｖｉｄｅｏ  ｒｅｃｏｒｄｅｒ）、デジタル動画再生機（ｄｉｇｉｔａｌ  ｖｉｄｅｏ  ｐｌａｙｅｒ）などを使用することができる。
【００３２】
後述する本発明の一実施例による設定情報基盤能動的スキャニング及び連結方法は、上記で説明したＩＥＥＥ  ８０２．１１無線ランシステムに適用されてもよく、さらに、ＩＥＥＥ  ８０２．１１無線ランシステムだけでなく、ＷＰＡＮ（Ｗｉｒｅｌｅｓｓ  Ｐｅｒｓｏｎａｌ  Ａｒｅａ  Ｎｅｔｗｏｒｋ）、ＷＢＡＮ（Ｗｉｒｅｌｅｓｓ  Ｂｏｄｙ  Ａｒｅａ  Ｎｅｔｗｏｒｋ）などのような多様なネットワークに適用されてもよい。
【００３３】
図１は、無線ラン端末の連結過程を示すフローチャートであり、図２及び図３Ａ、図３Ｂは、能動的スキャニングに使用されるプローブ要請フレームとプローブ応答フレームの構成を示す。
【００３４】
まず、図１を参照すれば、端末１００は、アクセスポイント２００を検索するためにプローブ要請フレームをアクセスポイント２００に伝送する（Ｓ１１０）。
【００３５】
アクセスポイント２００は、段階１１０によってプローブ要請フレームが受信されると、プローブ要請フレームに対する応答としてプローブ応答フレームを端末１００に伝送する（Ｓ１２０）。
【００３６】
ここで、段階１１０では、図２に示されたプローブ要請フレームを使用し、段階１２０では、図３Ａ及び図３Ｂに示されたプローブ応答フレームを使用する。
【００３７】
その後、端末１００は、段階１２０によってアクセスポイント２００からプローブ応答フレームが受信されると、アクセスポイント２００で提供する詳細ネットワーク検索のためにＧＡＳ（Ｇｅｎｅｒｉｃ  Ａｄｖｅｒｔｉｓｅｍｅｎｔ  Ｓｅｒｖｉｃｅ）イニシャル要請（ＧＡＳ  Ｉｎｉｔｉａｌ  Ｒｅｑｕｅｓｔ）メッセージをアクセスポイント２００に伝送する（Ｓ１３０）。
【００３８】
ここで、端末１００は、複数のアクセスポイントから受信されたプローブ応答フレームの受信信号の強さとアクセスポイント情報に基づいて連結するアクセスポイントを選択することができる。
【００３９】
アクセスポイント２００は、ＧＡＳイニシャル要請メッセージに対応するＧＡＳイニシャル応答メッセージを端末１００に伝送する（Ｓ１４０）。
【００４０】
端末１００は、段階１４０によってアクセスポイント２００からＧＡＳイニシャル応答メッセージが受信されると、認証過程（Ａｕｔｈｅｎｔｉｃａｔｉｏｎ）を行う。
【００４１】
ここで、認証過程は、アクセスポイント２００を選択した端末１００がアクセスポイント２００に対して自分が有効な端末であることを証明する過程である。すなわち、認証過程は、アクセスポイントと認証手続と暗号方式を交渉する過程である。
【００４２】
具体的に、端末１００は、認証（Ａｕｔｈｅｎｔｉｃａｔｉｏｎ）要請メッセージをアクセスポイント２００に伝送する（Ｓ１５０）。
【００４３】
アクセスポイント２００は、段階１５０を通じて認証要請メッセージが受信され、端末１００が有効な端末であると判断されれば、前記認証要請メッセージに相当する認証応答メッセージを端末１００に伝送する（Ｓ１６０）。
【００４４】
ここで、通常、オープンシステム（Ｏｐｅｎ  Ｓｙｓｔｅｍ）認証方式を使用するので、アクセスポイント２００は、端末１００からの認証要求に無条件で認証する。
【００４５】
その後、端末１００とアクセスポイント２００は、認証に成功した後、端末１００がアクセスポイント２００に接続する連結（Ａｓｓｏｃｉａｔｉｏｎ）過程を行う。連結過程は、端末１００とアクセスポイント２００との間の識別可能な連結を設定するものであって、連結過程が完了すれば、端末１００は、アクセスポイント２００を経由して他の端末と通信することができる。
【００４６】
具体的に、端末１００は、認証応答メッセージが受信されれば、アクセスポイント２００に接続するために連結要請（Ａｓｓｏｃｉａｔｉｏｎ  Ｒｅｑｕｅｓｔ）メッセージをアクセスポイント２００に伝送する（Ｓ１７０）。
【００４７】
アクセスポイント２００は、段階１７０を通じて端末１００から連結要請メッセージが受信されれば、他の端末と区分されることができるＡＩＤ（Ａｓｓｏｃｉａｔｉｏｎ  ＩＤ）を含む連結応答（Ａｓｓｏｃｉａｔｉｏｎ  Ｒｅｓｐｏｎｓｅ）メッセージを端末１００に伝送する（Ｓ１８０）。
【００４８】
前述の如く、図１に示されたように、無線ラン端末の連結過程を行う場合、端末とアクセスポイントの数が多い環境でプローブ要請フレームとプローブ応答フレームが非常に多く生成されるので、不要な無線チャネル占有を誘発するようになり、チャネル使用効率を低下させる。特に、プローブ応答フレームは、図３Ａ及び図３Ｂに示されたように、非常に多い情報を有しているので、データ長さが長くて、チャネル使用効率をさらに低下させることができる。
【００４９】
また、ＳＳＩＤリストを利用した多数アクセスポイントを同時に検索する場合、所望のアクセスポイントからすべてのプローブ応答フレームを受信するまで長時間がかかるという問題点がある。
【００５０】
一般的にアクセスポイントの連結のための設定値は、しばしば変わるものではない。したがって、一度連結した履歴があるアクセスポイントに対しては、アクセスポイント検索過程のプローブ要請とプローブ応答にすべての情報を要請し受ける必要がない特徴を活用した本発明の一実施例を以下で説明する。
【００５１】
図４は、本発明の一実施例による最初連結過程を示すフローチャートである。
図４を参照すれば、端末１００とアクセスポイント２００は、無線ラン端末の連結のために図１に示された無線ラン端末の連結過程と同一の過程を行う。
【００５２】
しかし、図１に示された無線ラン端末の連結過程と異なって、アクセスポイント２００は、段階４２０を通じて伝送するプローブ応答フレームにアクセスポイント２００の現在連結設定情報とネットワーク情報を管理する設定情報要素（Ｃｏｎｆｉｇｕｒａｔｉｏｎ  Ｉｎｆｏｒｍａｔｉｏｎ  Ｅｌｅｍｅｎｔ）を含んで端末１００に伝送する。
【００５３】
または、アクセスポイント２００は、段階４８０を通じて伝送する連結応答（Ａｓｓｏｃｉａｔｉｏｎ  Ｒｅｓｐｏｎｓｅ）にアクセスポイント２００の現在連結設定情報とネットワーク情報を管理する設定情報要素（Ｃｏｎｆｉｇｕｒａｔｉｏｎ  ＩＥ）を含んで端末１００に伝送する。
【００５４】
以下、図５を通じて最初連結時に伝送される設定情報要素の構成を説明する。
図５は、本発明の一実施例によって最初連結時に伝送される設定情報要素の構成を示す。
【００５５】
図５を参照すれば、設定情報要素（Ｃｏｎｆｉｇｕｒａｔｉｏｎ  ＩＥ）は、アクセスポイント２００の現在連結設定情報とネットワーク情報を管理する設定アイディー（Ｃｏｎｆｉｇｕｒａｔｉｏｎ  ＩＤ）とリビジョン（Ｒｅｖｉｓｉｏｎ）情報で構成される。
【００５６】
ここで、設定アイディー（Ｃｏｎｆｉｇｕｒａｔｉｏｎ  ＩＤ）は、アクセスポイント単位、同一連結情報とネットワーク情報を共有するグループ単位になることができ、１６バイト（ｂｙｔｅ）長さのＧＵＩＤ（ｇｌｏｂａｌｌｙ  ｕｎｉｑｕｅ  ｉｄｅｎｔｉｆｉｅｒ）形態で生成されることができる。
【００５７】
また、アクセスポイント２００は、アクセスポイント２００の連結情報及びネットワーク情報が変更される度にリビジョン（Ｒｅｖｉｓｉｏｎ）を増加させる。
【００５８】
アクセスポイント２００は、アクセスポイント２００の情報が既存リビジョンと関連がない程度に大きく変わった場合（例えば工場初期化など）、リビジョン値を０に設定することができる。
【００５９】
端末１００は、アクセスポイント２００との連結成功時点にアクセスポイント連結プロファイルを設定情報要素（Ｃｏｎｆｉｇｕｒａｔｉｏｎ  ＩＥ）情報とともに格納する。
【００６０】
また、アクセスポイント単位で設定情報要素を設定する場合、設定アイディー（Ｃｏｎｆｉｇｕｒａｔｉｏｎ  ＩＤ）のためにアクセスポイントのＢＳＳＩＤ（Ｂａｓｉｃ  Ｓｅｒｖｉｃｅ  Ｓｅｔ  ＩＤ）を使用することができる。
【００６１】
ここで、ＢＳＳＩＤは、当該アクセスポイントの媒体接近制御（Ｍｅｄｉｕｍ  Ａｃｃｅｓｓ  Ｃｏｎｔｒｏｌ、ＭＡＣ）アドレスとして容易に類推が可能なので、設定情報要素で設定アイディーを省略して使用することができる。
【００６２】
図６は、既連結履歴があるアクセスポイント検索時に伝送されるショートプローブ要請フレームボディーフォーマットを示す。図７は、本発明の一実施例によって既連結履歴がある複数のアクセスポイント検索時に伝送される設定リスト情報要素を示し、図８は、図７の設定リスト情報要素のうち設定リストのフォーマットを示し、図９は、本発明の一実施例によるＳＳＩＤリストと設定リストで構成されたショートプローブ要請フレームボディーフォーマットを示す。
【００６３】
まず、図６を参照すると、端末１００は、既連結履歴があるアクセスポイント２００と連結するために図６に示されたようにＳＳＩＤ（Ｓｅｒｖｉｃｅ  ＳｅｔＩｄｅｎｔｉｆｉｅｒ）と設定情報要素（Ｃｏｎｆｉｇｕｒａｔｉｏｎ  ＩＥ）で構成されたショートプローブ要請フレームをアクセスポイント２００に伝送することができる。
【００６４】
ここで、前記設定情報要素がグループ単位で使用される場合、プローブ要請フレームを受信したアクセスポイントのうちプローブ要請フレームに含まれているＳＳＩＤと設定情報アイディーが、自分が有している情報と同一のアクセスポイントは、プローブ応答フレームを端末１００に伝送することができる。
【００６５】
または、前記設定情報要素がアクセスポイント単位で使用される場合、設定情報アイディーをアクセスポイントのＢＳＳＩＤに代替して使用することができる。
【００６６】
一般的に、端末１００は、プローブ要請フレームを受信アドレスなしにブロードキャスト（ｂｒｏａｄｃａｓｔ）するが、特定のアクセスポイントを検索するためにプローブ要請フレームの受信アドレスに当該アクセスポイントの媒体接近制御（ＭＡＣ）アドレスを使用してユニキャスト（ｕｎｉｃａｓｔ）を伝送することができる。
【００６７】
ここで、アクセスポイント２００がプローブ要請フレームの受信アドレスから設定情報アイディーを容易に類推することができるので、端末１００は、設定情報要素（Ｃｏｎｆｉｇｕｒａｔｉｏｎ  ＩＥ）で設定情報アイディーを省略することができる。
【００６８】
図７を参照すれば、既連結履歴がある複数のアクセスポイント検索時に伝送される設定リスト情報要素は、要素アイディー（Ｅｌｅｍｅｎｔ  ＩＤ）、長さ（Ｌｅｎｇｔｈ）、設定アイディー及び／またはリビジョンを含む設定リスト（Ｃｏｎｆｉｇｕｒａｔｉｏｎ  Ｌｉｓｔ）を含むことができる。
【００６９】
ここで、設定リストフォーマットは、図８に示されたように構成されてもよい。
端末１００は、既連結履歴がある複数のアクセスポイントを同時に検索するために複数のＳＳＩＤで構成されるＳＳＩＤリストと複数の設定アイディーとリビジョンフィールドを有する設定リスト情報要素を含むショートプローブ要請フレーム（ｓｈｏｒｔ  ｆｒａｍｅ  ｒｅｑｕｅｓｔ  ｆｒａｍｅ）を構成して使用することができる。
【００７０】
または、端末１００は、既連結履歴がある同一のＳＳＩＤを有する複数のアクセスポイントを同時に検索するために、図９に示されたＳＳＩＤリストに特定の１個のＳＳＩＤと多数の設定アイディー／リビジョンを含む設定リスト情報要素（Ｃｏｎｆｉｇｕｒａｔｉｏｎ  Ｌｉｓｔ  ＩＥ）でショートプローブ要請フレームを構成することができる。
【００７１】
または、設定情報要素をアクセスポイント単位で使用する場合、端末１００は、複数のアクセスポイントを同時に検索するために、図９に示されたＳＳＩＤリストは省略し、設定リストだけでプローブ要請フレームを構成することができる。
【００７２】
ここで、図９に示されたＳＳＩＤリストが省略されたプローブ要請フレームを受信したアクセスポイントは、自分の設定アイディー（ＢＳＳＩＤ）が設定リスト（Ｃｏｎｆｉｇｕｒａｔｉｏｎ  Ｌｉｓｔ）に含まれていれば、プローブ応答フレームを端末１００に伝送することができる。
【００７３】
図１０は、本発明の一実施例によるショートプローブ応答フレームボディーフォーマットを示し、図１１は、本発明の一実施例による変更された情報を含むショートプローブ応答フレームボディーフォーマットを示す。
【００７４】
図１０及び図１１を参照すれば、アクセスポイント２００は、図６〜図９を通じて説明したように、端末１００から受信されたショートプローブ要請フレームに対応してショートプローブ応答フレームを伝送することができる。
【００７５】
ここで、アクセスポイント２００は、受信されたショートプローブ要請フレームに含まれている設定情報要素（Ｃｏｎｆｉｇｕｒａｔｉｏｎ  ＩＥ）情報と比較して変更された情報がなければ、全体情報を伝送する代わりに、時間情報（Ｔｉｍｅｓｔａｍｐ）、ＳＳＩＤ及び設定情報要素（Ｃｏｎｆｉｇｕｒａｔｉｏｎ  ＩＥ）情報のみを伝送することができる。
【００７６】
または、アクセスポイント２００は、受信されたショートプローブ要請フレームに含まれている設定情報要素（Ｃｏｎｆｉｇｕｒａｔｉｏｎ  ＩＥ）情報と比較した結果、アクセスポイント設定値に変更があれば、図１１に示されたように、最新設定情報要素（Ｃｏｎｆｉｇｕｒａｔｉｏｎ  ＩＥ）とともに以前リビジョン（ｒｅｖｉｓｉｏｎ）と比較して変更された情報要素（Ｕｐｄａｔｅｄ  ＩＥ）値だけをプローブ応答フレームに含ませて端末１００に伝送することができる。
【００７７】
ここで、アクセスポイント２００の固定的な設定とは関係なく時間によって続いて変わる情報要素ＩＥは、ショートプローブ応答フレームに追加的に含まれることができる。
【００７８】
または、アクセスポイント２００は、受信されたショートプローブ要請フレームに含まれている設定情報要素（Ｃｏｎｆｉｇｕｒａｔｉｏｎ  ＩＥ）情報と比較した結果、アクセスポイント設定値が初期化されるなどの大きい変化がある場合、ショートプローブ応答フレームの代わりに、設定リビジョン（Ｃｏｎｆｉｇｕｒａｔｉｏｎ  ｒｅｖｉｓｉｏｎ）を０に設定した完全なプローブ応答フレーム（Ｆｕｌｌ  ｐｒｏｂｅ  ｒｅｓｐｏｎｓｅ  ｆｒａｍｅ）を端末１００に伝送することができる。
【００７９】
ここで、端末１００は、アクセスポイント２００から設定情報要素（Ｃｏｎｆｉｇｕｒａｔｉｏｎ  ＩＥ）のリビジョン（ｒｅｖｉｓｉｏｎ）フィールド値が０に設定されたプローブ応答フレームが受信されれば、受信されたプローブ応答フレームを基準として既存連結情報を更新する。
【００８０】
したがって、本発明の一実施例によれば、アクセスポイント検索のために不要なプローブ要請フレームとプローブ応答フレームの数と長さを低減し、無線チャネル使用効率を向上させることができる。また、アクセスポイントに連結されたネットワーク情報が変動されない場合、ＧＡＳ過程を省略し、連結速度を向上させることができる。
【００８１】
図１２は、本発明の一実施例によって端末とアクセスポイントの再連結過程を示すフローチャートである。
【００８２】
図１２を参照すれば、端末１００は、既連結履歴があるアクセスポイント２００と連結するために、図６に示されたようにＳＳＩＤ（Ｓｅｒｖｉｃｅ  Ｓｅｔ  Ｉｄｅｎｔｉｆｉｅｒ）と設定情報要素（Ｃｏｎｆｉｇｕｒａｔｉｏｎ  ＩＥ）で構成されたショートプローブ要請フレームをアクセスポイント２００に伝送する（Ｓ１２１０）。
【００８３】
アクセスポイント２００は、段階１２１０を通じて端末１００から受信されたショートプローブ要請フレームに含まれている設定情報要素（Ｃｏｎｆｉｇｕｒａｔｉｏｎ  ＩＥ）情報と比較して変更された情報がなければ、全体情報を伝送する代わりに、時間情報（Ｔｉｍｅｓｔａｍｐ）、ＳＳＩＤ及び設定情報要素（Ｃｏｎｆｉｇｕｒａｔｉｏｎ  ＩＥ）情報のみを含むショートプローブ応答フレームを端末１００に伝送する（Ｓ１２２０）。
【００８４】
その後、端末１００は、既存の方法と同一に、認証過程（Ｓ１２３０、Ｓ１２４０）と連結過程（Ｓ１２５０、Ｓ１２６０）を行うことができる。
【００８５】
ここで、端末１００は、段階１２２０を通じてアクセスポイントから受信された設定情報要素（Ｃｏｎｆｉｇｕｒａｔｉｏｎ  ＩＥ）情報が変わったものがない場合、図１２に示されたように、ネットワーク検索過程（ＧＡＳ／ＡＮＱＰ）を省略することができる。
【００８６】
したがって、本発明の一実施例によれば、アクセスポイント検索のために不要なプローブ要請フレームとプローブ応答フレームの数と長さを低減し、無線チャネル使用効率を向上させることができる。また、アクセスポイントに連結されたネットワーク情報が変動されない場合、ＧＡＳ過程を省略し、連結速度を向上させることができる。
【００８７】
図１３は、本発明の一実施例によって端末で行われる設定情報基盤能動的スキャニング及び連結過程を示すフローチャートである。
【００８８】
図１３を参照すれば、端末１００は、現在設定（Ｃｏｎｆｉｇｕｒａｔｉｏｎ）のリビジョン（ｒｅｖｉｓｉｏｎ）情報を含むプローブ要請フレームをアクセスポイント２００に伝送する（Ｓ１３１０）。
【００８９】
ここで、前記設定は、アクセスポイント２００との連結（ａｓｓｏｃｉａｔｉｏｎ）と関連した設定情報を含むことができる。
【００９０】
また、前記設定は、アクセスポイント２００のネットワーク設定情報を含むことができる。
【００９１】
その後、端末１００は、アクセスポイント２００からリビジョン（ｒｅｖｉｓｉｏｎ）情報によって指定された設定から変更された設定情報要素（ｉｎｆｏｒｍａｔｉｏｎ  ｅｌｅｍｅｎｔ）と変更されたリビジョン（ｒｅｖｉｓｉｏｎ）情報を含むプローブ応答フレームを受信する（Ｓ１３２０）。
【００９２】
したがって、本発明の一実施例によれば、既存の完全なプローブ応答フレームを受信することの代わりに、変更された設定情報要素と変更されたリビジョン情報を含むプローブ応答フレームを受信するので、無線チャネル使用効率を向上させることができる。
【００９３】
図１４は、本発明の一実施例によってアクセスポイントで行われる設定情報基盤能動的スキャニング及び連結過程を示すフローチャートである。
【００９４】
図１４を参照すれば、アクセスポイント２００は、端末１００から端末に格納された設定（Ｃｏｎｆｉｇｕｒａｔｉｏｎ）のリビジョン（ｒｅｖｉｓｉｏｎ）情報を含むプローブ要請フレームを受信する（Ｓ１４１０）。
【００９５】
ここで、前記設定は、アクセスポイント２００との連結と関連した設定情報を含むことができる。
【００９６】
また、前記設定は、アクセスポイント２００のネットワーク設定情報を含むことができる。
【００９７】
その後、アクセスポイント２００は、リビジョン情報によって指定された設定とアクセスポイント２００が有する設定のリビジョン情報が異なるか否かを判断する（Ｓ１４２０）。
【００９８】
アクセスポイント２００は、段階１４２０を通じてリビジョン情報によって指定された設定とアクセスポイント２００が有する設定のリビジョン情報が異なる場合、端末１００から受信したリビジョン情報によって指定された設定から変更された設定情報要素（Ｃｏｎｆｉｇｕｒａｔｉｏｎ  ＩＥ）と変更されたリビジョン情報で構成されたプローブ応答フレームを端末１００に伝送する（Ｓ１４３０）。
【００９９】
または、アクセスポイント２００は、段階１４２０を通じてリビジョン情報によって指定された設定とアクセスポイント２００が有する設定のリビジョン情報が同じ場合、同一の設定情報要素で構成されたプローブ応答フレームを端末１００に伝送する（Ｓ１４４０）。
【０１００】
したがって、本発明の一実施例によれば、アクセスポイント検索のために不要なプローブ要請フレームとプローブ応答フレームの数と長さを低減し、無線チャネル使用効率を向上させることができる。
【０１０１】
以上、実施例を参照して説明したが、当該技術分野の熟練された当業者は、下記の特許請求の範囲に記載した本発明の思想及び領域を逸脱しない範囲内で本発明を多様に修正及び変更させることができることを理解することができる。
【符号の説明】
【０１０２】
１００  端末
２００  アクセスポイント
0006034962.tif 000002
【図１】
0006034962.tif 000003
【図２】
0006034962.tif 000004
【図３Ａ】
0006034962.tif 000005
【図３Ｂ】
0006034962.tif 000006
【図４】
0006034962.tif 000007
【図５】
0006034962.tif 000008
【図６】
0006034962.tif 000009
【図７】
0006034962.tif 000010
【図８】
0006034962.tif 000011
【図９】
0006034962.tif 000012
【図１０】
0006034962.tif 000013
【図１１】
0006034962.tif 000014
【図１２】
0006034962.tif 000015
【図１３】
0006034962.tif 000016
【図１４】
0006034962.tif 000017